(57)【特許請求の範囲】
【請求項１】
モータ軸を固定した円板部の前方に中央部が開口部となったリング状板部を対向配置し、リング状板部と円板部との間に羽根部を放射状に複数枚架設し、リング状板部の外周縁からラッパ状筒部を後方に向けて突設し、このラッパ状筒部を突出基部側の径よりも突出先端側の径を大径としてファンを構成し、該ファンをケーシング内に内装し、ファンのリング状板部の中央の開口部をケーシングの入口から流れ込む排気がファン内に入るための流入口とし、ラッパ状筒部の突出先端の後開口をファンからの排気の流出部とし、ケーシングにファンの上記流出部よりも後方側にずれた位置に排気を排出させるための出口を設けて成ることを特徴とするオイルミスト除去装置。
【請求項２】
モータ軸を固定した円板部の前方に中央部が開口部となったリング状板部を対向配置し、リング状板部と円板部との間に羽根部を放射状に複数枚架設し、円板部の外周縁からラッパ状筒部を前方に向けて突設し、このラッパ状筒部を突出基部側の径よりも突出先端側の径を大径としてファンを構成し、該ファンをケーシング内に内装し、ファンのリング状板部の中央の開口部をケーシングの入口から流れ込む排気がファン内に入るための流入口とし、ラッパ状筒部の突出先端の前開口をファンからの排気の流出部とし、ケーシングにファンの上記流出部よりも前方側にずれた位置に排気を排出させるための出口を設けて成ることを特徴とするオイルミスト除去装置。
【発明の詳細な説明】
【０００１】
【発明の属する技術分野】
本発明は、ファンによりオイルミストを除去するようにしたオイルミスト除去装置に関するものである。
【０００２】
【従来の技術】
本出願人は、ファンによりオイルミストを除去するためのオイルミスト除去装置を特公平７−１０７３９７号公報、特公平７−１８４３２号公報等により提案している。
【０００３】
この特公平７−１０７３９７号公報、特公平７−１８４３２号公報等により提案しているオイルミスト除去装置においては、図１０、図１１に示すようなファン６が用いてある。この従来使用していたファン６は、モータ軸１を固定した円板部２の前方に中央部が開口部６ａとなったリング状板部４を対向配置し、リング状板部４と円板部２との間に前面視でく字状に屈曲した羽根部５を放射状に複数枚架設し、羽根部５の屈曲部５ａよりも外側部分５ｂを円板部２よりも外方に突出させると共に該羽根部５の屈曲部５ａよりも外側部分５ｂを屈曲部５ａよりも内側部分５ｃに対して捩って回転方向に対して屈曲部５ａよりも外側部分５ｂの前端部５ｄと後端部５ｅとがずれるように傾斜させる構成となており、このファン６をケーシング内に内装してファン６によりオイルミストの除去を行うようにしたものである。
【０００４】
ところが、上記の従来例にあっては、く字状に屈曲した羽根部５が上記のように、羽根部５の屈曲部５ａよりも外側部分５ｂを円板部２よりも外方に突出させると共に該羽根部５の屈曲部５ａよりも外側部分５ｂを屈曲部５ａよりも内側部分５ｃに対して捩って回転方向に対して屈曲部５ａよりも外側部分５ｂの前端部と後端部とがずれるように傾斜させる構成となっており、羽根部５の構造が複雑で、曲げ加工が面倒でコストが高くなるという問題がある。
【０００５】
【発明が解決しようとする課題】
本発明は上記の点に鑑みてなされたものであり、大粒のオイルミストを含んだ排気がファンを通過する際に簡単な構成で排気中に含まれるオイルミスト同士を互いに凝集してファンの流出部から遠心力により効果的にファン外周方向に分離できるオイルミスト除去装置を提供することを課題とするものである。
【０００６】
【課題を解決するための手段】
上記課題を解決するために本発明に係るオイルミスト除去装置は、モータ軸１を固定した円板部２の前方に中央部が開口部６ａとなったリング状板部４を対向配置し、リング状板部４と円板部２との間に羽根部５を放射状に複数枚架設し、リング状板部４の外周縁からラッパ状筒部３を後方に向けて突設し、このラッパ状筒部３を突出基部側の径よりも突出先端側の径を大径としてファン６を構成し、該ファン６をケーシング２５内に内装し、ファン６のリング状板部４の開口部６ａをケーシング２５の入口２４から流れ込む排気がファン６内に入るための流入口Ａ２４とし、ラッパ状筒部３の突出先端の後開口をファン６からの排気の流出部Ｂとし、ケーシング２５にファン６の上記流出部Ｂよりも後方側にずれた位置に排気を排出させるための出口２６を設けて成ることを特徴とするものである。
【０００７】
このような構成とすることで、オイルミストを含んだ排気はケーシング２５の入口２４からファン６の流入口Ａよりファン６内に流れ込みファン６内において羽根部５に沿ってファン６の外周方向に流れ、ラッパ状筒部３に衝突して向きを変えられてラッパ状筒部３に沿って後方に流れ、ラッパ状筒部３の突出先端の後開口である流出部Ｂから後方に流れて流出部Ｂよりも後方側にずれた位置に設けた出口２６からケーシング２５の外に流出するものである。この場合、オイルミストを含んだ排気がファン６内において羽根部５に沿って流れてラッパ状筒部３に衝突して向きを変えられてラッパ状筒部３に沿って後方に流れることで、排気中のオイルミストがファン６の回転による遠心力及び衝突によるバッフル効果で排気から分離され、分離された細かいオイルミスト同士がファン６の回転による遠心力によって突出基部側の径よりも突出先端側の径が大径となったラッパ状筒部３に沿ってラッパ状筒部３の後開口である流出部Ｂ側に移動する際に互いに凝集し合ってオイルミストの粒となり、該大粒のオイルミストがラッパ状筒部３の開口縁からファン６の遠心力によりファン６の外周方向に排気から完全に分離されて飛ばされ、一方、このようにオイルミストが分離された排気はファン６の流出部Ｂから後方側に流れて出口２６からケーシング２５の外に流出するものである。
【０００８】
また、モータ軸１を固定した円板部２の前方に中央部が開口部６ａとなったリング状板部４を対向配置し、リング状板部４と円板部２との間に羽根部５を放射状に複数枚架設し、円板部２の外周縁からラッパ状筒部３を前方に向けて突設し、このラッパ状筒部３を突出基部側の径よりも突出先端側の径を大径としてファン６を構成し、該ファン６をケーシング２５内に内装し、ファン６のリング状板部４の開口部６ａをケーシング２５の入口２４から流れ込む排気がファン６内に入るための流入口Ａ２４とし、ラッパ状筒部３の突出先端の前開口をファン６からの排気の流出部Ｂとし、ケーシング２５にファン６の上記流出部Ｂよりも前方側にずれた位置に排気を排出させるための出口２６を設けて成ることを特徴とするものであってもよい。
【０００９】
このような構成とすることで、オイルミストを含んだ排気はケーシング２５の入口２４からファン６の流入口Ａよりファン６内に流れ込みファン６内において羽根部５に沿ってファン６の外周方向に流れ、ラッパ状筒部３に衝突して向きを変えられてラッパ状筒部３に沿って前方に流れ、ラッパ状筒部３の突出先端の前開口である流出部Ｂから後方に流れて流出部Ｂよりも前方側にずれた位置に設けた出口２６からケーシング２５の外に流出するものである。この場合、オイルミストを含んだ排気がファン６内において羽根部５に沿って流れてラッパ状筒部３に衝突して向きを変えられてラッパ状筒部３に沿って前方に流れることで、排気中のオイルミストがファン６の回転による遠心力及び衝突によるバッフル効果で排気から分離され、分離された細かいオイルミスト同士がファン６の回転による遠心力によって突出基部側の径よりも突出先端側の径が大径となったラッパ状筒部３に沿ってラッパ状筒部３の後開口である流出部Ｂ側に移動する際に互いに凝集し合ってオイルミストの粒となり、該大粒のオイルミストがラッパ状筒部３の開口縁からファン６の遠心力によりファン６の外周方向に排気から完全に分離されて飛ばされ、一方、このようにオイルミストが分離された排気はファン６の流出部Ｂから前方側に流れて出口２６からケーシング２５の外に流出するものである。また、ケーシング２５の入口２４から流れ込んだオイルミストを含んだ排気はファン６のリング状板部２の流入口Ａからファン６内に流入して円板部２に沿いながら羽根部５に沿ってラッパ状筒部３の後端部側に流れ、ラッパ状筒部３で方向転換されてラッパ状筒部３の後端部側からラッパ状筒部３の前端部側に向けて流れるものであって、ケーシング２５の入口２４から流れ込んだオイルミストを含んだ排気が入口２４からリング状板部２の内面を沿ってリング状板部２の外端を乗り越えてショートパスして流れるというようなことが生じないようにしている。
【００１０】
【発明の実施の形態】
以下、本発明を添付図面に示す実施形態に基づいて説明する。
【００１１】
図１、図２には本発明のオイルミスト除去装置７の一実施形態が示してあり、図１に示すオイルミスト除去装置７は、箱体８の外面部に吸入口９と排出口１０とを設けてあり、箱体８内には前部に大径粒子分離捕捉室１１が設けてあり、中間部にファン６を内装した小径粒子分離捕捉室１２が設けてあり、更に、後部の一部に消音・捕捉室１３とモータ収納室１４とが設けてあり、大径粒子分離捕捉室１１と小径粒子分離捕捉室１２との間にフィルタ収納室１５が設けてある。そして、吸入口９が大径粒子分離捕捉室１１に開口して連通し、排出口１０が消音・捕捉室１３に開口して連通しており、吸入口９→大径粒子分離捕捉室１１→フィルタ収納室１５→小径粒子分離捕捉室１２→消音・捕捉室１３→排出口１０という排気が流れる経路が形成してあって、該経路が吸入口９と排出口１０との間を連通するための通気路１６となっている。
【００１２】
箱体８内の前部に形成される大径粒子分離捕捉室１１の前方側の側面部（つまり箱体８の前面部）はほぼ全面が開口部１７となっていて、該開口部１７には前蓋１８がビスにより着脱自在に取付けてあり、前蓋１８を取付けることで大径粒子分離捕捉室１１の前方側の側面部が前蓋１８により構成されることになる。大径粒子分離捕捉室１１の上記前蓋１８と対向する側面部（つまり後ろ側の側面部）もほぼ全面が開口部１７’となっており、この開口部１７’にフィルタ１９が配置してある。大径粒子分離捕捉室１１のフィルタ１９を配置した側面部と交差する方向の側面部である他の４側面部（つまり、前後を除く上下左右の４側面部）のうち一つの側面部に吸入口９が設けてある。添付図面に示す実施形態においては大径粒子分離捕捉室１１の上の側面部に吸入口９が設けてあり、更に、この吸入口９は上の側面部の左右方向のいずれかの端部側にずれて形成してある。
【００１３】
フィルタ収納室１５にはフィルタ支持部２０が設けてあり、該フィルタ支持部２０にはフィルタ１９がいわゆるけんどん式により着脱自在に取付けてある。ここで、フィルタ１９の取付け、取り外しに当たっては、開口部１７と対向する前蓋１８を外して開口部１７をオープンとしてフィルタ１９の取付け、取り外しを行うものである。
【００１４】
フィルタ１９は排気の流れ方向に複数個並設されるものである。そして、前のフィルタ１９は金属板を屈曲して形成した屈曲流路を有するフィルタ１９ａにより構成してあり、後ろのフィルタ１９は不織布よりなるフィルタ１９ｂにより構成してある。ここで、添付図面に示す実施形態においては、金属板２１を屈曲して形成した屈曲流路を有するフィルタ１９ａとして、図２に示すように、断面略ヘ字状をし且つ吸入口９の開口方向に長くなった金属板２１（実施形態では吸入口９が上の側面部にあるので上下方向に長くなった金属板２１）を並設して、略へ字状をしたへ字状流路２２を形成したものにより構成してある。このへ字状流路２２の前半部はフィルタ１９の前面に対して傾斜している。
【００１５】
フィルタ収納室１５と小径粒子分離捕捉室１２との間には仕切り板２３が設けてあり、小径粒子分離捕捉室１２の前面部の略中央部に設けた入口２４が仕切り板２３の中央部において開口している。小径粒子分離捕捉室１２の外殻を構成するケーシング２５は縦断面円状をしており、内部にファン６を内装してある。
【００１６】
ケーシング２５内に回転自在に配置されるファン６は図３乃至図５に示すようなもので、円板部２の中心にモータ軸１を固定するようになっており、この円板部２の前方に中央部が開口部６ａとなったリング状板部４を対向配置し、リング状板部４と円板部２との間に前面視で弧状又はく字状に屈曲した羽根部５を放射状に複数架設し、更にリング状板部４の外周縁からラッパ状筒部３を後方に向けて突設してファン６が構成してある。上記ファン６のラッパ状筒部３は突出基部側（リング状板部４側の端部）の径よりも突出先端側の径が次第に大きくなるような略ラッパ状となるように形成してある。また、ラッパ状筒部３の突出先端（本実施形態では後端）は円板部２よりも後方に突出している。
【００１７】
上記の構成のファン６をケーシング２５内に内装した状態で、ファン６のリング状板部４の中央の開口部６ａがケーシング２５の入口２４と前後方向に対向していて、この開口部６ａがケーシング２５の入口２４から流れ込む排気がファン６内に入るための流入口Ａとなっている。ここで、ケーシング２５の入口２４の口縁から流入口Ａ側に向けてガイド筒２４ａが突設してあって、入口２４から流入口Ａ側にオイルミストを含んだ排気がスムーズに流れ込むようにしている。
【００１８】
また、ファン６のラッパ状筒部３の後端開口をファン６からの排気の流出部Ｂとしてある。ケーシング２５のファン６よりも後方位置（つまりファン６に設けた流出部Ｂよりも後方側にずれた位置）に排気を排出させるための出口２６が設けてある。この出口２６は消音・捕捉室１３に連通している。
【００１９】
消音・捕捉室１３は前室１３ａと、後室１３ｂとに分割してあり、後室１３ｂ内に筒状をした不織布よりなる消音フィルタ２７が配設してある。筒状をした不織布よりなる消音フィルタ２７の前端部は前室１３ａと後室１３ｂとの間を仕切る仕切り１３ｃに設けた環状をした嵌め込み部１３ｄに着脱自在に嵌め込んであり、筒状をした消音フィルタ２７の後端部が後室１３ｂの後面部の開口部に着脱自在に取付けた後蓋２８に支持してある。そして、仕切り１３ｃの環状の嵌め込み部１３ｄに囲まれた部分に形成した孔部１３ｅが筒状をした消音フィルタ２７の前部開口に連通している。
【００２０】
モータ収納室１４内にはモータ２９が収納してあり、モータ２９のモータ軸１がケーシング２５内に突入していて、該モータ軸１に前述のようにファン６が取付けられるものである。
【００２１】
図１、図２に示すように、箱体８の下面部には支持枠部３０が設けてあり、支持枠部３０にオイルパン３１が引出し自在に取付けてある。箱体８の下面部の複数箇所、例えば、大径粒子分離捕捉室１１、フィルタ収納室１５、小径粒子分離捕捉室１２の底面部分に相当する箇所に排出孔３２を設けて、これらの大径粒子分離捕捉室１１、フィルタ収納室１５、小径粒子分離捕捉室１２内で捕捉したオイルを排出孔３２を介してオイルパン３１に排出してオイルパン３１に回収するようになっている。そして、メンテナンス等の際にはオイルパン３１を引き出してメンテナンス等をするようになっている。ここで、オイルパン３１を引き出してメンテナンスできるので、粘性の高い油を捕捉した場合に、オイルパン３１の油排出口（図示せず）が目詰まりするのを防止できる。
【００２２】
しかして、上記のような構成のオイルミスト除去装置７により例えば旋盤や研削盤等のオイルミスト発生源から発生するオイルミストを除去するのであるが、本発明によるオイルミストの除去は以下のようにして行われる。
【００２３】
すなわち、モータ２９を回転してファン６を回転すると、オイルミストを含んだ排気がフード（図示せず）、ダクト（図示せず）を経て吸入口９から大径粒子分離捕捉室１１に流れ込む。吸入口９から大径粒子分離捕捉室１１に流れ込んだオイルミストを含んだ排気は、大径粒子分離捕捉室１１の側面部のうち吸入口９を設けた側面部と対向する側面部に衝突して図１矢印イのように旋回し、更に、このように吸入口９と対向する大径粒子分離捕捉室１１の側面部に衝突して方向転換して旋回した排気はフィルタ１９の前面側に向けて更に側方に向きを変えるように旋回し（図１、図２において矢印ロ）、このように何回も方向転換して旋回することと側面部に衝突することで、排気中に含まれる粒径の大きいオイルミストや切粉や砥石粉等の大粒子が排気から振り切られて分離されることになる。
【００２４】
ここで、図２のように、フィルタ１９が断面略ヘ字状をし且つ吸入口９の開口方向に長くなった金属板２１を並設して、略へ字状をしたへ字状流路２２を形成したものにより構成され、へ字状流路２２の前半部がフィルタ１９の前面に対して傾斜している構成としてあるので、排気がフィルタ１９の前面側に向けて更に側方に向きを変えるように旋回する際、排気はフィルタ１９の前面に対して図５の矢印ハのように直角方向に流れるのではなく、矢印ロのようにフィルタ１９の前面に対して斜め方向から流れ込むことになって、旋回する際の方向転換の角度が急になって、旋回によって排気中に含まれる粒径の大きいオイルミストや切粉や砥石粉等の大粒子を排気から振り切る効率がより向上するようになっている。
【００２５】
上記のようにして排気を何回も方向転換させて旋回させることで、粒径の大きいオイルミストや切粉や砥石粉等の大粒子が振り切られた排気は、次に、フィルタ１９に流れ込むのであるが、まず、金属板２１を屈曲して形成した屈曲流路を有するフィルタ１９ａを通過し、次に、不織布よりなるフィルタ１９ｂを通過し、その後、大径粒子分離捕捉室１１の前面部の略中央部に設けた入口２４に流れ込むものである。
【００２６】
ここで、屈曲流路を有するフィルタ１９ａを排気が通過する際、バッフル効果により、つまり、排気がへ字状流路２２の側壁を構成する金属板２１に衝突し、これにより中程度の粒径のオイルミストが分離捕捉されることになるのである。この場合、前述の大径粒子分離捕捉室１１内における排気の何回にもわたる方向転換によって、排気中に含まれる粒径の大きいオイルミストや切粉や砥石粉等の大粒子が振り切られて分離されるのであるが、この時、分離されきらずに一部の切粉や砥石粉が排気に含まれてフィルタ１９に流れ込んでも、上記屈曲流路を流れる際における金属板２１への衝突と方向転換によって、残りの切粉や砥石粉が排気から分離され、このように切粉や砥石粉が分離された排気が次に不織布よりなるフィルタ１９ｂに流れることで、排気中の中程度の粒径のオイルミストが捕捉されるものである。そして、不織布よりなるフィルタ１９ｂに至る前に上記のように切粉や砥石粉が分離されされているので、切粉や砥石粉によって不織布よりなるフィルタ１９ｂが目詰まりすることがなく、したがって、不織布よりなるフィルタ１９ｂの掃除、交換等までの期間を長くできるものである。
【００２７】
上記のように粒径の大きいオイルミストや切粉や砥石粉等の大粒子が振り切られ、更に、中程度のオイルミストを捕捉して除去された排気が小径粒子分離捕捉室１２の前面部の略中央部に設けた入口２４に流れ込み、小径粒子分離捕捉室１２においてファン６の回転による遠心力によって排気から粒径の小さいオイルミストが分離捕捉されることになる。
【００２８】
すなわち、入口２４から流れ込んだ排気はファン６のリング状板部４の中央部の流入口Ａを構成する開口部６ａからファン６内に流れ込んで羽根部５に沿ってファン６の外周方向に流れ、ラッパ状筒部３に衝突して向きを変えられてラッパ状筒部３に沿って後方に流れ、ラッパ状筒部３の突出先端の後開口である流出部Ｂから後方に流れて流出部Ｂよりも後方側にずれた位置に設けた出口２６からケーシング２５の外に流出するものである。
【００２９】
この場合、オイルミストを含んだ排気がファン６内において羽根部５に沿って流れてラッパ状筒部３に衝突して向きを変えられてラッパ状筒部３に沿って後方に流れることで、排気中のオイルミストがファン６の回転による遠心力及び衝突によるバッフル効果により排気から分離される。このように分離された細かいオイルミストはファン６の回転による遠心力によって突出基部側の径よりも突出先端側の径を大径となったラッパ状筒部３に沿ってラッパ状筒部３の後開口である流出部Ｂ側に移動する際に、互いに凝集し合って大粒のオイルミストの粒となりながらラッパ状筒部３の後開口である流出部Ｂに移動する。このように凝集し合いながら大粒に成長した大粒のオイルミストがファン６の回転による遠心力によって移動してラッパ状筒部３の開口縁に到達すると、大粒のオイルミストは排気に比べてはるかに重いのでファン６の遠心力により図５の矢印ニに示すようにラッパ状筒部３の開口縁からファン６の外周方向に飛ばされて排気から完全に分離される。一方、このようにオイルミストが分離された排気は図５の矢印ホに示すようにファン６の流出部Ｂよりも後方側にずれた位置に設けた出口２６から消音・捕捉室１３へと排出される。
【００３０】
なお、上記実施形態では、ラッパ状筒部３の突出先端が円板部２よりも後方に突出しているので、上記ラッパ状筒部３に沿って遠心力によりオイルミストの粒が前方より後方に流れる距離が長くなり、遠心力及びバッフル効果により分離したオイルミストの粒同士がよりラッパ状筒部３に沿って移動する際により確実に凝集して大粒となってラッパ状筒部３の後開口に至って、ラッパ状筒部３の後開口端から外周方向に遠心力により飛ばされるものであって、排気からのオイルミストの分離がより確実に行われるものである。
【００３１】
消音・捕捉室１３へと排出された排気は前室１３ａを通って孔部１３ｅから筒状をした不織布からなる消音フィルタ２７の内部に流れ込み、筒状をした不織布からなる消音フィルタ２７の周囲部から外部に流出し、排出口１０から外部に排出されるものである。ここで、排気が消音フィルタ２７を内側から外側に通過する際に、消音されると共に、最終段階におけるオイルミストの捕捉が行われることになる。
【００３２】
なお、大径粒子分離捕捉室１１、フィルタ収納室１５、小径粒子分離捕捉室１２で捕捉されたオイルミストは凝集して各室の内壁に沿って流れ、排出孔３２からオイルパン３１に回収するものである。
【００３３】
次に、図６乃至図９に基づいて本発明の他の実施形態につき説明する。本実施形態においては、ケーシング２５に内装するファン６の構造、ケーシング２５に設ける排気を排出させるための出口２６の位置が前述の実施形態と異なり、他の構成は前述と同じ構成であるので、重複する説明は省略し、異なる点について述べる。
【００３４】
すなわち、本実施形態においてケーシング２５に内装するファン６は図７乃至図９に示すようなもので以下のような構成となっている。すなわち、円板部２の中心にモータ軸１を固定するようになっており、この円板部２の前方に中央部が開口部６ａとなったリング状板部４を対向配置し、リング状板部４と円板部２との間に前面視で弧状又はく字状に屈曲した羽根部５を放射状に複数架設し、更に円板部２の外周縁からラッパ状筒部３を前方に向けて突設してファン６が構成してある。上記ファン６のラッパ状筒部３は突出基部側（円板部２側の端部）の径よりも突出先端側の径が次第に大きくなるような略ラッパ状となるように形成してある。ラッパ状筒部３の突出先端（本実施形態では前端）はリング状板部４よりも前方に突出している。
【００３５】
上記の構成のファン６を図６に示すようにケーシング２５内に内装した状態で、ファン６のリング状板部４の中央の開口部６ａがケーシング２５の入口２４と前後方向に対向していて、この開口部６ａがケーシング２５の入口２４から流れ込む排気がファン６内に入るための流入口Ａとなっている。ここで、ケーシング２５の入口２４の口縁から流入口Ａ側に向けてガイド筒２４ａが突設してあって、入口２４から流入口Ａ側にオイルミストを含んだ排気がスムーズに流れ込むようにしている。
【００３６】
また、ファン６のラッパ状筒部３の前端開口をファン６からの排気の流出部Ｂとしてある。ケーシング２５のファン６よりも前方位置（つまりファン６に設けた流出部Ｂよりも前方側にずれた位置）に排気を排出させるための出口２６が設けてある。この出口２６は消音・捕捉室１３に連通している。
【００３７】
しかして、本実施形態においては、入口２４から流れ込んだ排気はファン６のリング状板部４の中央部の流入口Ａを構成する開口部６ａからファン６内に流れ込んで羽根部５に沿ってファン６の外周方向に流れ、ラッパ状筒部３に衝突して向きを変えられてラッパ状筒部３に沿って前方に流れ、ラッパ状筒部３の突出先端の前開口である流出部Ｂから前方に流れて流出部Ｂよりも前方側にずれた位置に設けた出口２６からケーシング２５の外に流出するものである。
【００３８】
この場合、流入口Ａからファン６内に流れ込んだオイルミストを含んだ排気は主に円板部２に衝突して向きを変え円板部２側に沿いながら羽根部５に沿って流れてラッパ状筒部３の突出基部側に衝突して向きを変えられてラッパ状筒部３に沿って前方に流れることで、排気中のオイルミストがファン６の回転による遠心力及び衝突によるバッフル効果により排気から分離される。このように分離された細かいオイルミストはファン６の回転による遠心力によって突出基部側の径よりも突出先端側の径を大径となったラッパ状筒部３に沿ってラッパ状筒部３の前開口である流出部Ｂ側に移動する際に、互いに凝集し合って大粒のオイルミストの粒となりながらラッパ状筒部３の前開口である流出部Ｂに移動する。このように凝集し合いながら大粒に成長した大粒のオイルミストがファン６の回転による遠心力によって移動してラッパ状筒部３の前端の開口縁に到達すると、大粒のオイルミストは排気に比べてはるかに重いのでファン６の遠心力により図６、図９の矢印ニに示すようにラッパ状筒部３の開口縁からファン６の外周方向に飛ばされて排気から完全に分離される。
【００３９】
一方、このようにオイルミストが分離された排気は図６、図９の矢印ホに示すようにファン６の流出部Ｂよりも前方側にずれた位置に設けた出口２６から消音・捕捉室１３へと排出される。
【００４０】
なお、上記実施形態では、ラッパ状筒部３の突出先端がリング状板部４よりも前方に突出しているので、上記ラッパ状筒部３に沿って遠心力によりオイルミストの粒が後方より前方に流れる距離が長くなり、遠心力及びバッフル効果により分離したオイルミストの粒同士がよりラッパ状筒部３に沿って移動する際により確実に凝集して大粒となってラッパ状筒部３の後開口に至って、ラッパ状筒部３の後開口端から外周方向に遠心力により飛ばされるものであって、排気からのオイルミストの分離がより確実に行われるものである。
【００４１】
ところで、本実施形態においては、上記のように、円板部２側に沿って羽根部５に沿って周方向に流れ、ラッパ状筒部３の後端部で向きを変えてラッパ状筒部３の後端部から前端部側に向けて流れるため、流入口Ａからファン６内に流れ込んだオイルミストを含んだ排気がリング状板部４の内面に沿ってリング状板部４の外端を乗り越えてショートパスする流れが生じないものである。このように、ファン６内においてオイルミストを含んだ排気が流入口Ａから流出部Ｂに流れるにあたって遠回りしながら流れ、ファン６内を流れる排気の流れ距離が長くなってオイルミストの分離除去効果が著しく向上するものである。
【００４２】
また、この場合、ファン６内においてオイルミストを含んだ排気が図９の矢印のように流れる際、気流が略円弧状に流れるためオイルミストが遠心分離される効果も生じるものである。
【００４３】
【発明の効果】
上記のように本発明の請求項１記載の発明にあっては、モータ軸を固定した円板部の前方に中央部が開口部となったリング状板部を対向配置し、リング状板部と円板部との間に羽根部を放射状に複数枚架設し、リング状板部の外周縁からラッパ状筒部を後方に向けて突設し、このラッパ状筒部を突出基部側の径よりも突出先端側の径を大径としてファンを構成し、該ファンをケーシング内に内装し、ファンのリング状板部の中央の開口部をケーシングの入口から流れ込む排気がファン内に入るための流入口とし、ラッパ状筒部の突出先端の後開口をファンからの排気の流出部とし、ケーシングにファンの上記流出部よりも後方側にずれた位置に排気を排出させるための出口を設けてあるので、オイルミストを含んだ排気がファン内において羽根部に沿って流れてラッパ状筒部に衝突して向きを変えられてラッパ状筒部に沿って後方に流れ、排気中のオイルミストがファンの回転による遠心力及び衝突によるバッフル効果で排気から分離され、分離された細かいオイルミスト同士がファンの回転による遠心力によって突出基部側の径よりも突出先端側の径を大径としたラッパ状筒部に沿ってラッパ状筒部の後開口である流出部側に移動する際に互いに凝集し合ってオイルミストの粒となり、該大粒のオイルミストがファンの流出部から後方向に流れる排気から完全に分離されてラッパ状筒部の開口縁からファンの遠心力によりファンの外周方向に飛ばされるものであり、これにより簡単な構成でファンにより排気中からオイルミストを分離捕集できるものである。
【００４４】
また、請求項２記載の発明にあっては、モータ軸を固定した円板部の前方に中央部が開口部となったリング状板部を対向配置し、リング状板部と円板部との間に羽根部を放射状に複数枚架設し、円板部の外周縁からラッパ状筒部を前方に向けて突設し、このラッパ状筒部を突出基部側の径よりも突出先端側の径を大径としてファンを構成し、該ファンをケーシング内に内装し、ファンのリング状板部の中央の開口部をケーシングの入口から流れ込む排気がファン内に入るための流入口とし、ラッパ状筒部の突出先端の前開口をファンからの排気の流出部とし、ケーシングにファンの上記流出部よりも前方側にずれた位置に排気を排出させるための出口を設けてあるので、オイルミストを含んだ排気がファン内において羽根部に沿って流れてラッパ状筒部に衝突して向きを変えられてラッパ状筒部に沿って後方に流れ、排気中のオイルミストがファンの回転による遠心力及び衝突によるバッフル効果で排気から分離され、分離された細かいオイルミスト同士がファンの回転による遠心力によって突出基部側の径よりも突出先端側の径を大径としたラッパ状筒部に沿ってラッパ状筒部の前開口である流出部Ｂ側に移動する際に互いに凝集し合ってオイルミストの粒となり、該大粒のオイルミストがファンの流出部から前方向に流れる排気から完全に分離されてラッパ状筒部の開口縁からファンの遠心力によりファンの外周方向に飛ばされるものであり、これにより簡単な構成でファンにより排気中からオイルミストを分離捕集できるものである。しかも、ケーシングの入口から流れ込んだオイルミストを含んだ排気はファンのリング状板部の流入口からファン内に流入して円板部に沿いながら羽根部に沿ってラッパ状筒部の後端部側に流れ、ラッパ状筒部で方向転換されてラッパ状筒部の後端部側からラッパ状筒部の前端部側に向けて流れるものであって、ケーシングの入口から流れ込んだオイルミストを含んだ排気が入口からリング状板部の内面を沿ってリング状板部の外端を乗り越えてショートパスして流れるのを防止して、ラッパ状筒部の後側から前側にかけての全長をほぼ有効に利用してオイルミストの分離・凝集が効果的にできるものである。
【図面の簡単な説明】
【図１】本発明のオイルミスト除去装置の側面断面図である。
【図２】同上の図１のＸ−Ｘ線断面図である。
【図３】同上に用いるファンの斜視図である。
【図４】同上の正面図である。
【図５】同上の側面断面図である。
【図６】本発明の他の実施形態のオイルミスト除去装置の側断面図である。
【図７】同上に用いるファンの他の実施形態の斜視図である。
【図８】同上の正面図である。
【図９】同上の側面断面図である。
【図１０】従来例のファンの斜視図である。
【図１１】従来例の側面断面図である。
【符号の説明】
１  モータ軸
２  円板部
３  ラッパ状筒部
４  リング状板部
５  羽根部
６  ファン
６ａ  開口部
２４  入口
２５  ケーシング
２６  出口
Ａ  流入口
Ｂ  流出部
【図１】
0004669165.tif 000002
【図２】
0004669165.tif 000003
【図３】
0004669165.tif 000004
【図４】
0004669165.tif 000005
【図５】
0004669165.tif 000006
【図６】
0004669165.tif 000007
【図７】
0004669165.tif 000008
【図８】
0004669165.tif 000009
【図９】
0004669165.tif 000010
【図１０】
0004669165.tif 000011
【図１１】
0004669165.tif 000012